(57)【要約】【課題】地中への打ち込みによる埋入を良好に行うことができ、且つ取扱性に優れる園芸用連続仕切り具を提供する。【解決手段】全体が樹脂で一体成形され且つ一方向に長尺状に連続する園芸用連続仕切り具である。地中に打ち込み埋設される仕切り板３，３相互がヒンジ部５を介して連結されている。仕切り板３の下端部分６は鋭角板部９として形成され、前後対抗する側面部１０，１０の左右の側縁部１１，１１には、縦方向に連続する縦補強リブ１２，１２が設けられ、その上端相互が横補強リブ１７で一体に連結されている。ヒンジ部５は、鋭角板部９の上端２２よりも上側で、仕切り板３，３相互を連結する。ヒンジ部５は、時計回り及び反時計回りの夫々で少なくとも９０度屈曲できる。【選択図】図１
2019068794.tif 000002
【特許請求の範囲】
【請求項１】
全体が樹脂で一体成形され且つ一方向に長尺状に連続する園芸用連続仕切り具であって、地中に打ち込み埋設される仕切り板相互がヒンジ部を介して連結されてなり、
前記仕切り板の下端側部分は、下端に向けて細くなる鋭角板部として形成されており、
前記仕切り板の前後対向する側面部の内の少なくとも一方の側面部の左右の側縁部には、縦方向に連続する左右の縦補強リブが膨出形成され、左右の該縦補強リブの夫々の横方向のリブ外縁は該側面部の左右の外縁に合致し、又、左右の該縦補強リブの上端相互を一体に連結する横補強リブが前記側面部の上縁部に連続して設けられ、該横補強リブの上縁は前記側面部の上縁に合致しており、
前記ヒンジ部は、前記鋭角板部の上端よりも上側において前記仕切り板相互を屈曲可能に連結するものであり、前記縦方向に連続状態に設けられており、該ヒンジ部は、平面視で時計回り及び反時計回りの夫々で少なくとも９０度屈曲可能に構成されていることを特徴とする園芸用連続仕切り具。
【請求項２】
全体が樹脂で一体成形され且つ一方向に長尺状に連続する園芸用連続仕切り具であって、地中に打ち込み埋設される仕切り板相互がヒンジ部を介して連結されてなり、
前記仕切り板の下端側部分は、下端に向けて細くなる鋭角板部として形成されており、  
前記仕切り板の前後対向する側面部の内の少なくとも一方の側面部の左右の側縁部には、縦方向に連続する左右の縦補強リブが膨出形成され、左右の該縦補強リブの夫々の横方向のリブ外縁は該側面部の左右の外縁に合致し、又、左右の該縦補強リブの上端相互を一体に連結する横補強リブが前記側面部の上縁部に連続して設けられ、該横補強リブの上縁は前記側面部の上縁に合致しており、
前記ヒンジ部は、前記鋭角板部の上端よりも上側において前記仕切り板相互を屈曲可能に連結する、縦方向に連続し且つ厚み方向に撓み変形可能の可撓性板部として構成されており、該ヒンジ部は、平面視で時計回り及び反時計回りの夫々で少なくとも９０度屈曲可能に構成されていることを特徴とする園芸用連続仕切り具。
【請求項３】
前記ヒンジ部の上端は下に凸の円弧状部として構成される一方、その下端は上に凸の円弧状部として構成されていることを特徴とする請求項１又は２記載の園芸用連続仕切り具。
【請求項４】
前記横補強リブは、前記側面部の上縁部に沿って設けられたアーチ状補強リブであることを特徴とする請求項１又は２記載の園芸用連続仕切り具。
【請求項５】
前記縦補強リブと前記横補強リブは、共に、横断面が円弧状を呈し且つ同サイズであり、該縦補強リブと該横補強リブが一連一体に連続することを特徴とする請求項１〜４の何れかに記載の園芸用連続仕切り具。
【請求項６】
前記縦補強リブと前記横補強リブが、前記仕切り板の前後対向する側面部の夫々に設けられていることを特徴とする請求項１〜５の何れかに記載の園芸用連続仕切り具。
【請求項７】
前記ヒンジ部は、縦方向に連続状態に設けられており、幅方向の中央部分が薄肉片として構成されていることを特徴とする請求項１記載の園芸用連続仕切り具。
【請求項８】
前記仕切り板の前記一方向で見た幅寸法は３０〜６０ｍｍに設定されていることを特徴とする請求項１〜７の何れかに記載の園芸用連続仕切り具。
【発明の詳細な説明】
【技術分野】
【０００１】
本発明は園芸用連続仕切り具に関するものである。より詳しくは、地中に打込み埋設されることによって、花壇等の土地の境界部分の見栄えをよくする仕切りを形成するために用いられる他、土砂の流出を防止する土留や、芝等の植物の根がみだりに伸長しないように仕切る根止めとして用いることができる園芸用連続仕切り具に関するものである。
【背景技術】
【０００２】
花壇等の土地の境界部分の見栄えをよくする仕切りを形成するためや、土の流出を防止する土留、芝等の植物の根がみだりに伸長しないように仕切る根止めとして用いることのできる園芸用の仕切り具の一例として、特許文献１、２、３記載のものが提供されている。
【０００３】
特許文献１記載の芝用根止め具は、地中に突き刺すことで芝の根の広がりを阻止する板状の根止め体を有し、該根止め体の左右両側の端部に接続部が設けられていた。そして、該芝用根止め具を用いて芝の根の広がりを阻止するために該根止め体を線状に連結して囲いを形成するに際しては多数枚の根止め体を必要としたため、前記接続部相互の連結を何回も繰り返さなければならなかった。そのため、該接続部相互の連結作業を何回も繰り返さなければならず、多くの手間を要して作業が非常に面倒であり又多くの作業時間を要した。加えて、前記囲いを形成した後においては、前記接続部相互の連結部分に隙間が生ずるために該隙間から土が流れ出る問題もあった。又特許文献１には、前記根止め体を地面に突き刺すに際しては該根止め体の上縁部をハンマーで打撃することが記載されているが、該打撃によって該上縁部が欠ける恐れがあった。
【０００４】
前記特許文献２記載の芝生等の繁茂防止用フェンスは、可撓性の長尺状薄板材からなるフェンス本体の下部に刃状部を有する埋め込み部を一体的に設けてなるものであった。そして、該埋め込み部を地中に埋設して植木埋込区域を囲むことによって、芝等の植木の植込区域への繁茂を防止せんとするものであった。
【０００５】
かかる繁茂防止用フェンスは、フェンス本体が長尺状薄板材からなるために、特許文献１の芝用根止め具におけるような、根止め体相互の連結に伴う接続部相互の連結部分の隙間から土が流れ出るといった問題は発生させない利点があった。しかし該繁茂防止用フェンスによるときは、前記フェンス本体を、前記植木埋込区域を取り囲むように円弧状に屈曲させることは容易であったが、該フェンス本体を、例えば芝の根の広がりを阻止する等の目的でこれを円弧状以外の屈曲角度、例えば９０度等の所要の屈曲角度で屈曲させようとしても、これは相当に難しかった。該繁茂防止用フェンスに明確な屈曲部が設けられているわけではなかったからである。このように前記フェンス本体によるときは、該フェンス本体を所要角度に見栄えよく屈曲させることは相当に難しかったのである。
【０００６】
又特許文献２には、植木埋込区域の土質が硬い場合等には、前記フェンス本体の上部に設けた鍔部をハンマー等で叩くことによって該フェンス本体の地中への埋込みを容易化することが記載されているが、該フェンス本体は、長尺状薄肉材からなるものであったため、これが該打込み力に耐えられない恐れがあった。
【０００７】
なお該フェンス本体が該打込み力に耐えられるとしても、その打込み力は、ハンマー等で叩かれた部分の下側に伝達されるだけであり、その周辺部分での打込み力の伝達が不十分となり易すかった。そのため、前記フェンス本体の地中への打ち込み埋入を円滑に行うことができない問題があった。
【０００８】
前記特許文献３記載の地面用境界材は、板状本体部に所定間隔で縦方向の折曲可能部が設けられていた。そのため該地面用境界材によるときは、地面を所要に区画する際に、直線や緩やかな曲線、急な曲線、直角、鋭角等の境界線を容易に形成できた。これによって、円弧状以外の各種の屈曲角度を有する区画を形成することが難しかった特許文献２に係る前記問題点を解決できる利点があった。
【０００９】
又前記地面用境界材は、前記折曲可能部を除く板状本体部の上端に幅広の天板部が設けられ、該天板部の中央には該地面用境界材を打ち込む際の打撃目標となる頭部が設けられており、該頭部の下方には、打込み力を本体下部に確実に伝達するための補強リブが設けられていた。該補強リブは、上下方向に延長してその上端が前記天板部の下面に連設されていた。又、前記折曲可能部の側方に、該折曲可能部に沿う厚肉の強化部が前記板状本体部の側面に突出するように設けられていた。該強化部は、該折曲可能部に沿って上下方向に延長しているが、その上端は前記天板部に連結されてはおらず、該強化部の上端と該天板部との間は途切れていた。
【００１０】
かかることから該地面用境界材によるときは、これを地面に打ち込むために前記頭部を打撃すれば、前記補強リブによる打ち込み力の伝達作用によって該打込みをある程度は容易化できる利点があった。しかしながら、前記天板部の中央部位において下方向に延長するように設けられていた該補強リブによる打込み力の伝達はその周辺部分に留まりやすく該地面用境界材の地中への打ち込み埋入を円滑に行うことができない問題があった。
【００１１】
なお該地面用境界材には前記のように、前記折曲可能部に沿う上下方向に延長した厚肉の強化部が前記板状本体部の側面に突設されていたが、その上端は前記天板部に連結されていなかった。従って該強化部は、前記打込み力を、前記板状本体部の両側において下方向に伝達させる仕組みにはなっていなかった。        
【００１２】
従って前記地面用境界材によるときは、前記補強リブによっても又前記強化部によっても、前記頭部を打撃したことに伴う打込み力の伝達が不十分となりやすく、該地面用境界材の地中への打ち込み埋入を円滑に行うことができない問題があったのである。
【先行技術文献】
【特許文献】
【００１３】
【特許文献１】実用新案登録第３１２８２０４号公報
【特許文献２】実開平５−９１２８３号公報
【特許文献３】特開２０００−３０００７１号公報
【発明の概要】
【発明が解決しようとする課題】
【００１４】
本発明は前記従来の問題点に鑑みて開発されたものであり、花壇等の土地の境界部分の見栄えをよくする仕切りを形成でき、土の流出を効果的に防止できる土留機能を発揮でき、芝等の植物の根がみだりに伸長しないように効果的に仕切る根止機能を発揮できるのは元より、地中への打ち込みによる埋入を良好に行うことを可能とする等、取扱性に優れる園芸用連続仕切り具の提供を課題とするものである。
【課題を解決するための手段】
【００１５】
前記課題を解決するため本発明を以下の手段を採用する。
本発明に係る園芸用連続仕切り具の第１の態様は、全体が樹脂で一体成形され且つ一方向に長尺状に連続する園芸用連続仕切り具であって、地中に打ち込み埋設される仕切り板相互がヒンジ部を介して連結されてなり、前記仕切り板の下端側部分は、下端に向けて細くなる鋭角板部として形成されている。そして、前記仕切り板の前後対向する側面部の内の少なくとも一方の側面部の左右の側縁部には、縦方向に連続する左右の縦補強リブが膨出形成され、左右の該縦補強リブの夫々の横方向のリブ外縁は該側面部の左右の外縁に合致し、又、左右の該縦補強リブの上端相互を一体に連結する横補強リブが前記側面部の上縁部に連続して設けられ、該横補強リブの上縁は前記側面部の上縁に合致している。又、前記ヒンジ部は、前記鋭角板部の上端よりも上側において前記仕切り板相互を屈曲可能に連結するものであり、前記縦方向に連続状態に設けられており、該ヒンジ部は、平面視で時計回り及び反時計回りの夫々で少なくとも９０度屈曲可能に構成されていることを特徴とするものである。
【００１６】
本発明に係る園芸用連続仕切り具の第２の態様は、全体が樹脂で一体成形され且つ一方向に長尺状に連続する園芸用連続仕切り具であって、地中に打ち込み埋設される仕切り板相互がヒンジ部を介して連結されてなり、前記仕切り板の下端側部分は、下端に向けて細くなる鋭角板部として形成されている。そして、前記仕切り板の前後対向する側面部の内の少なくとも一方の側面部の左右の側縁部には、縦方向に連続する左右の縦補強リブが膨出形成され、左右の該縦補強リブの夫々の横方向のリブ外縁は該側面部の左右の外縁に合致し、又、左右の該縦補強リブの上端相互を一体に連結する横補強リブが前記側面部の上縁部に連続して設けられ、該横補強リブの上縁は前記側面部の上縁に合致している。又、前記ヒンジ部は、前記鋭角板部の上端よりも上側において前記仕切り板相互を屈曲可能に連結する、縦方向に連続し且つ厚み方向に撓み変形可能の可撓性板部として構成されており、該ヒンジ部は、平面視で時計回り及び反時計回りの夫々で少なくとも９０度屈曲可能に構成されていることを特徴とするものである。
【００１７】
本発明に係る園芸用連続仕切り具の第３の態様は、前記第１、第２の態様において、前記ヒンジ部の上端は下に凸の円弧状部として構成される一方、その下端は上に凸の円弧状部として構成されていることを特徴とするものである。
【００１８】
本発明に係る園芸用連続仕切り具の第４の態様は、前記第１、第２の態様において、前記横補強リブは、前記側面部の上縁部に沿って設けられたアーチ状補強リブであることを特徴とするものである。
【００１９】
本発明に係る園芸用連続仕切り具の第５の態様は、第１〜４の何れかの態様において、前記縦補強リブと前記横補強リブは、共に、横断面が円弧状を呈し且つ同サイズであり、該縦補強リブと該横補強リブが一連一体に連続することを特徴とするものである。
【００２０】
本発明に係る園芸用連続仕切り具の第６の態様は、第１〜５の何れかの態様において、前記縦補強リブと前記横補強リブが、前記仕切り板の前後対向する側面部の夫々に設けられていることを特徴とするものである。
【００２１】
本発明に係る園芸用連続仕切り具の第７の態様は、第１の態様において、前記ヒンジ部は、縦方向に連続状態に設けられており、幅方向の中央部分が薄肉片として構成されていることを特徴とするものである。
【００２２】
本発明に係る園芸用連続仕切り具の第８の態様は、第１〜７の何れかの態様において、前記仕切り板の前記一方向で見た幅寸法は３０〜６０ｍｍに設定されていることを特徴とするものである。
【発明の効果】
【００２３】
本発明に係る園芸用連続仕切り具は、これが地中に所要深さに打ち込まれることによって、花壇等の土地の境界部分の見栄えをよくする仕切りを形成でき、土砂の流出を効果的に防止できる土留機能を発揮でき、芝等の植物の根がみだりに伸長しないように効果的に仕切る根止機能を発揮できるのは元より、地中への前記打ち込みによる埋入を良好に行うことができる。
【図面の簡単な説明】
【００２４】
【図１】本発明に係る園芸用連続仕切り具を例示する部分斜視図である。
【図２】園芸用連続仕切り具を所要長さに切断して形成した仕切り材を地中に所要深さに打ち込み埋設して形成された直線状仕切体を示す部分断面図である。
【図３】園芸用連続仕切り具の部分構成を示す正面図である。
【図４】仕切り材を地中に所要深さに打ち込み埋設した状態を示す断面図とその部分拡大である。
【図５】仕切り板相互がヒンジ部で連結された状態を示す断面図である。
【図６】ヒンジ部の屈曲角度を説明する断面図である。
【図７】地面に設けた直線状の溝部に仕切り材の下側の部分を嵌め入れた状態を示す斜視図である。
【図８】仕切り板を該溝部に嵌め入れた状態を示す断面図である。
【図９】仕切り板を地中に過度に埋設した場合の問題点を説明する説明図である。
【図１０】ヒンジ部を９０度に屈曲して構成された仕切体を例示する斜視図である。
【図１１】円形状乃至楕円形状を呈する仕切体を例示する説明図である。
【図１２】ウエーブ状部を具える仕切体を例示する説明図である。
【図１３】横補強リブの他の態様を示す説明図である。
【図１４】中央縦補強リブを具える仕切り板を示す正面図である。
【図１５】縦補強リブの他の態様を示す説明図である。
【図１６】前記縦補強リブと前記横補強リブを一方の側面部にのみ設けた場合の一例を示す断面図である。
【図１７】ヒンジ部の他の態様を示す説明図である。
【図１８】側面部の裏側部位に立体模様が付されてなる仕切り板を例示する正面図である。
【図１９】鋭角板部が複数とされた仕切り板を例示する正面図である。
【発明を実施するための形態】
【実施例１】
【００２５】
図１〜５において本発明に係る園芸用連続仕切り具１は、全体がポリプロピレン等の樹脂で一体成形され且つ一方向に長尺状に連続するものであって、地中２に打ち込み埋設される仕切り板３，３相互がヒンジ部５（図１〜３）を介して連結されてなり、前記仕切り板３の下端部分６は、下端７に向けて細くなる鋭角板部９として形成されている。そして、前記仕切り板３の前後対向する側面部１０，１０（図３、図５）の内の少なくとも一方の側面部１０の左右の側縁部１１，１１には、縦方向に連続する左右の縦補強リブ１２，１２が膨出形成され、図５（Ｂ）に示すように、左右の該縦補強リブ１２，１２の夫々の、横方向のリブ外縁１３，１３は該側面部１０の左右の外縁１５，１５に合致している。又、図１〜４に示すように、左右の該縦補強リブ１２，１２の上端１６，１６相互を一体に連結する横補強リブ１７が前記側面部１０の上縁部１９に連続して設けられ、該横補強リブ１７のリブ上縁２０は図４（Ｃ）に示すように、前記側面部１０の上縁２１に合致している。又前記ヒンジ部５は、図３に示すように、前記鋭角板部９の上端２２よりも上側において前記仕切り板３，３相互を屈曲可能に連結するものであり、該ヒンジ部５は、図６に示すように、平面視で時計回り及び反時計回りの夫々で少なくとも９０度屈曲可能に構成されている。以下これをより具体的に説明する。
【００２６】
前記仕切り板３は、本実施例においては図３に示すように、縦方向に長い長方形状板部２３の上端２５に、上に突の半円状板部２６が一連に設けられると共に、該長方形状板部２３の下端２７に、下端に向けて細くなる三角形状板部２９としての前記鋭角板部９が連設された薄い板状に構成されている。本実施例において該仕切り板３は、その肉厚が２．５ｍｍ程度に設定されると共に、その縦方向の長さが１５０ｍｍ程度に設定され、その横幅が４５ｍｍ程度に設定されている。又前記半円状板部２６の縦方向長さは２８ｍｍ程度に設定され、前記三角形状板部２９の縦方向長さは３８ｍｍに設定されている。そして、前記仕切り板３の前後対向する前記側面部１０，１０は、その使用状態で見て垂直面状を呈しており、該三角形状板部２９の先側部分３０の左右の傾斜縁部３１，３１は共に、先端鋭の刃状部３２として構成されている。このように刃状部３２が設けられているため、後述のように前記仕切り板３を地中に打ち込む際の打込み力を軽減できる。
【００２７】
そして図１〜２、図５（Ｂ）に示すように、該仕切り板３の前後対向する前記側面部１０，１０の夫々において、その左右の側縁部１１，１１に、縦方向に連続する前記縦補強リブ１２，１２が膨出形成され、図５（Ｂ）に示す、該縦補強リブ１２，１２の横方向のリブ外縁１３，１３は該側面部１０，１０の外縁１５，１５に合致している。又図１〜３に示すように、左右の該縦補強リブ１２，１２の上端１６，１６相互を一体に連結する前記横補強リブ１７が設けられており、該横補強リブ１７はアーチ状補強リブ１７ａとして構成されている。これによって図１〜３に示すように、一連の該縦補強リブ１２，１２と該横補強リブ１７とは全体として倒Ｕ字状の補強リブ３３を構成し、これによって前記仕切り板３の剛性が向上されている。そして本実施例においては、該縦補強リブ１２，１２と該横補強リブ１７は、その横断面が同形で同サイズの円弧状を呈している。本実施例においては図４（Ａ）（Ｃ）に示すように、前記前後の側面部１０，１０の夫々に設けられている前記アーチ状補強リブ１７ａ，１７ａの前記リブ上縁２０，２０と前記仕切り板３の前記上縁２１とが一連に連続しており、平面視で幅広の幅広上縁部３５が構成されている。
【００２８】
前記ヒンジ部５は、図１〜３に示すように、前記鋭角板部９の上端２２よりも上側において前記仕切り板３，３相互を屈曲可能に連結するものである。該ヒンジ部５は本実施例においては図３に示すように、前記三角形状板部２９（前記鋭角板部９）の上端２２と前記半円状板部２６の下端３６との間に縦方向に連続状態に設けられており、図５（Ｂ）に示すように、幅方向の中央部分３８が比較的幅の広い薄肉片３９を以って構成されている。そして図３に示すように、該ヒンジ部５の上端４０は下に凸の円弧状部４１として構成される一方、その下端４２は上に凸の円弧状部４３としてに構成されている。これによって該ヒンジ部５は、その長手中央線（下に凸の円弧状部４１の下端４５と上に凸の下の円弧状部４３の上端４６とを結んだ直線）４７で屈曲できる。即ち、屈曲する部分を強度的に弱い該長手中央線４７に特定できるため、該ヒンジ部５は屈曲させ易い。この屈曲は、図６に示すように、平面視で時計回り及び反時計回りの夫々で少なくとも９０度屈曲可能とされている。本実施例においては夫々１２０度程度に屈曲可能とされている。
【００２９】
前記仕切り板３，３相互が前記ヒンジ部５を介して前記のように連結されることによって、図１〜２に示す、長尺状に連続する前記園芸用連続仕切り具１が構成される。該園芸用連続仕切り具１は、例えば、所定長さ分（例えば５０ｃｍ）の射出成形を繰り返すことによって、長尺状に連続させて製造できる。その長さは例えば１〜５ｍに設定できる。或いは、その用途に応じてそれ以上の長さのものとして製造される。かかる長尺の園芸用連続仕切り具１は、前記ヒンジ部５で屈曲可能であるため、全体を巻回状態で保管でき又運搬等できる。
【００３０】
図２、図７〜８は、かかる構成を有する園芸用連続仕切り具１の使用例を示すものであり、図２は、該園芸用連続仕切り具１を用いて地面４９に直線状の仕切体５０を形成した場合を示す。該仕切体５０を形成するために、先ず、その必要長さに合わせて、長尺材としての該園芸用連続仕切り具１から所要長さ分を切り取る。この切り取りは、前記ヒンジ部５の前記薄肉片３９（図５）において容易に行うことができる。これによって、所要枚数の前記仕切り板３が連なった仕切り材５１（図７）が得られる。その後、前記直線状の仕切体５０（図２）を形成すべき場所において、例えば図７〜８に示すように地面４９に直線状の溝部５２を形成する。該溝部５２の溝幅と溝深さは共に例えば５０ｍｍ〜６０ｍｍ程度に設定する。
【００３１】
図７〜８に示すように、該溝部５２内に、前記仕切り材５１の各仕切り板３の下側の部分５３を嵌め入れ、その下端部５５（図８）を該溝部の底部５６に若干押し込む。該溝部５２は、後述のように前記仕切り材５１を地中に所要に打ち込んだ後に埋め戻す。
【００３２】
このようにして該溝部５２内に、前記仕切り材５１の前記下側の部分５３を嵌め入れた後、図７〜８に示すように、前記横補強リブ１７の上端５７をハンマーで下方向に打撃して前記仕切体５０（図２）の長さ方向で見た上端高さを揃える。この打撃は、アーチ状を呈する前記幅広上縁部３５の上端５７を下方に打撃して行うのであるが該上端５７は打撃の目印としても機能できる。
【００３３】
本実施例においては図４（Ｃ）に示すように、前記前後の側面部１０，１０の夫々に設けられている前記アーチ状補強リブ１７ａ，１７ａの前記リブ上縁２０，２０と前記仕切り板３の前記上縁２１とが一連に連続していて平面視で幅広上縁部３５が構成されている。しかも図１〜３に示すように、前記仕切り板３の前後の側面部１０，１０の夫々が、前記倒Ｕ字状の補強リブ３３，３３で補強されていて該仕切り板３の剛性が向上されている。かかることから、前記打撃を該幅広上縁部３５（図４（Ｃ））で安定的に行うことができると共に、該打撃時において前記仕切り板３を撓み変形させにくい。
【００３４】
かかることから図７に矢印で示すように、該打撃に伴う打ち込み力Ｆを、前記仕切り板３の前後の側面部１０，１０の夫々に設けられている前記アーチ状補強リブ１７ａ，１７ａと左右の前記縦補強リブ１２，１２，１２，１２に分散させて、該仕切り板３の両側において下方向に良好に伝達させることができる。これによって、地中への前記仕切り板３の打ち込み埋設を良好に行うことができる。
【００３５】
そして、前記ヒンジ部５の両側に位置させて前記縦補強リブ１２，１２を設けているため、前記幅広上縁部３５を打撃した際の衝撃によって前記ヒンジ部５が損傷を受けるのを防止できることともなる。又前記仕切体５０（図２）を形成する作業にあっては、切り取られた前記仕切り材５１が、繋ぎ目なく連続しているため、特許文献１や特許文献３に記載されているような連結作業が不要である。従って、該仕切体５０の形成を作業能率よく行うことができる。又前記仕切り材５１が、繋ぎ目なく連続しているため、特許文献１や特許文献３におけるような前記連結部分の隙間からの土の流出の問題も生じさせないため、前記仕切体５０が土留機能を有効に発揮する。
【００３６】
前記仕切り板３の埋設は、例えば図２、図４に示すように、その上側の４０〜５０ｍｍ程度の部分５８を地面４９から上方に突出させて行う。この埋設状態において、図２、図４（Ｂ）に示すように、前記ヒンジ部５の前記下に凸の円弧状部４１の前記下端４５が地面４９の上方に位置する。もしも図９に示すように、該下に凸の円弧状部４１の下端４５が地中に存するように前記仕切り板３を埋設したとすると、該下端４５の上側部分５９で土が流れることになり、土留機能が有効に発揮されなくなってしまう。
【００３７】
図２は、前記の各仕切り板３の前記幅広上縁部３５の上端５７（図４）に所要の打撃を加えることによって、上端高さが揃った前記直線状の仕切り体５０を形成した状態を示している。この場合は図５に示すように、各ヒンジ部５は屈曲していない。
【００３８】
図１０は、前記園芸用連続仕切り具１を用いて、コーナー部６０が直角を呈する仕切体５０を前記と同様の要領によって形成する場合を示すものである。この場合は、前記と同様にして所要長さに形成された前記仕切体５０の該コーナー部６０に位置する各ヒンジ部５が図６に実線で示すように９０度の屈曲状態とされる。なお該屈曲角度は、形成せんとする仕切体５０の形態に応じて、９０度よりも大きな角度に設定されることがあり、又、９０度よりも小さな角度に設定されることもある。
【００３９】
該園芸用連続仕切り具１においては、前記ヒンジ部５の両側に位置させて前記縦補強リブ１２，１２を設けているため、前記コーナー部６０等の屈曲部を形成するに際して前記ヒンジ部５を折り曲げる際、その際の折り曲げ力が前記仕切り板３に変形をもたらす等の悪影響を及ぼすことを防止できる。
【００４０】
前記ヒンジ部５は、本実施例においては図５に示すように、中央部分３８が薄肉に形成されており、又図３に示すように、該ヒンジ部５の上縁４０は下に凸の円弧状部４１として構成される一方、その下縁４２は上に凸の円弧状部として構成されているため、該ヒンジ部５を、常に、前記長手中央線４７（図３）で確実に屈曲させることができ、折り曲げ力が前記仕切り板３の変形をもたらす等の悪影響を、より一層確実に防止できることとなる。
【００４１】
図１１（Ａ）は、前記園芸用連続仕切り具１を用いて円形状乃至楕円形状の仕切体５０を前記と同様の要領によって構成した場合を示すものである。この場合は、前記の各ヒンジ部５が図１１（Ｂ）に示すように緩く湾曲している。
【００４２】
図１２は、前記園芸用連続仕切り具１を用いてウエーブ状部６１を有する仕切体５０を前記と同様の要領によって構成した場合は示すものである。この場合は、該ウエーブ状部６１に位置する前記の各ヒンジ部５，５が図１１（Ｂ）に示すと同様にして緩く湾曲している。
【００４３】
前記園芸用連続仕切り具１を用いて形成された仕切体５０の形態は、その他にも各種のものがあるが、何れの仕切体５０も、土地の境界部分の見栄えをよくする仕切りを形成するために用いられる他、土の流出を防止する土留や、芝等の植物の根がみだりに伸長しないように仕切る根止めとして用いることができる。
【実施例２】
【００４４】
本発明は、前記実施例で示したものに限定されるものでは決してなく、「特許請求の範囲」の記載内で種々の設計変更が可能であることはいうまでもない。
【００４５】
（１）図１３は、前記園芸用連続仕切り具１を構成する前記仕切り板３が有する前記横補強リブ１７の他の態様を示すものである。
【００４６】
図１３（Ａ）に示す横補強リブ１７は、横方向の直線状の補強リブ１７ｂとして構成されている。図１３（Ｂ）に示す横補強リブ１７は、上方向に緩く湾曲した円弧状の補強リブ１７ｃとして構成されている。図１３（Ｃ）に示す横補強リブ１７は、図１３（Ａ）に示す直線状の横補強リブ１７ｂの中央部分を上方向に半円弧状に湾曲させた補強リブ１７ｄとして構成されている。図１３（Ｄ）に示す横補強リブ１７は、図１３（Ａ）に示す直線状の横補強リブ１７ｂの左右側部分を傾斜部６２，６２とした台形状の補強リブ１７ｅとして構成されている。図１３（Ｅ）に示す横補強リブ１７は、図１３（Ａ）に示す直線状の横補強リブ１７ｂの中央部分を下方向に半円弧状に湾曲させた補強リブ１７ｆとして構成されている。図１３（Ｆ）に示す横補強リブ１７は、図１３（Ａ）に示す直線状の横補強リブ１７ｂの中央部分を、左右の段差６３，６３を介して稍浮き上げた補強リブ１７ｇとして構成されている。図１３（Ｇ）に示す横補強リブ１７は、その全体が下方向に緩く湾曲する補強リブ１７ｈとして構成されている。又図１３（Ｈ）に示す横補強リブ１７は、図１３（Ａ）に示す横補強リブの長さの３分の１程度の長さの補強リブ１７ｉとして構成されている。この場合、左右の前記縦補強リブ１２，１２は、上端６５から下端６６に向けて両者間の間隔が大きくなる山形状の配置となっている。
【００４７】
かかる構成を有する前記の各園芸用連続仕切り具１においても、図４（Ｃ）に示すように、前記横補強リブ１７の前記リブ上縁２０は前記側面部１０の前記上縁２１に合致している。そして該横補強リブ１７は、前記と同様に、左右の前記縦補強リブ１２，１２の上端１６，１６相互を一体に連結している。然して、前記と同様にして幅広上縁部３５を打撃すると、該打撃に伴う打ち込み力を、前記仕切り板３の前後の側面部１０，１０の夫々に設けられている前記縦補強リブ１２，１２を介して、該仕切り板３の両側で下方向に伝達させることができる。これによって、地中への前記仕切り板３の打ち込み埋設を良好に行うことができる。
【００４８】
図１３に示されている各園芸用連続仕切り具１においては、前記ヒンジ部５の上端４０が前記仕切り板３の上端６９に略合致しているが、前記実施例におけると同様にして、該ヒンジ部５の上端４０は下に凸の円弧状部として形成される一方、その下端４２は上に凸の円弧状部として構成されている。符号５、１０、１６、３５、４０、４２は、便宜上図１３（Ａ）に代表させて示している。なお該上端４０は、図１におけると同様に、該仕切り板３の上端６９よりも比較的大きく下方に位置させて設けられることもある。
【００４９】
（２）図１４は、下端７０が前記三角形状板部（前記鋭角板部）２９の下端７１に略連なる縦方向（上下方向）の中央縦補強リブ７２を、前記左右の縦補強リブ１２，１２に加えて設けた場合を示しており、その上端７３が、例えば図１４に示す直線状の横補強リブ１７の中央部位の下面部７５に連結されている。このように構成する場合は、前記左右の縦補強リブ１２，１２による打ち込み力の下方への伝達作用が得られることに加えて、該中央縦補強リブ７２による打ち込み力の下方向への伝達作用が得られるため、地中への前記仕切り板３の打ち込み埋設をより良好に行うことができる。このように中央縦補強リブ７２を設ける場合、前記横補強リブ１７の形態は、図１に示すアーチ状横補強リブ１７や図１３に示されているその他の形態の横補強リブ１７等であってもよい。
【００５０】
（３）図１５は、前記ヒンジ部５の両側に設けられる縦補強リブ１２の他の態様を例示するものである。該縦補強リブ１２，１２は本実施例においては、前記仕切り板３の前後対向する側面部１０，１０の夫々に設けられており前後対称形態を呈している。なお、符号１と符号３と符号１０は便宜上図１５（Ａ）においてのみ記載している。そして該ヒンジ部５は、幅方向の中央部分が薄肉片３９を以って構成されており、前記と同様に、平面視で時計回り及び反時計回りの夫々で少なくとも９０度屈曲可能に構成されている。前記縦補強リブ１２は、図１５（Ａ）においては断面三角形状に形成されており、図１５（Ｂ）においては断面台形状に形成されており、図１５（Ｃ）においては断面四分割円状に形成されており、図１５（Ｄ）においては断面三角状に形成されており、図１５（Ｅ）においては断面花形状に形成されている。前記縦補強リブ１２は、その他各種形態のものとして構成でき、その表面にねじれ模様等の適宜の立体模様が付されることもある。
【００５１】
（４）前記縦補強リブ１２と前記横補強リブ１７は、前記打ち込み力の下方向への伝達が所要に得られる限り、図１６に示すように、前記仕切り板３の前後対向する側面部１０，１０の内の一方にのみ設けられることもある。
【００５２】
（５）前記ヒンジ部５の上端４０及び下端４２は例えば図１７に示すように水平を呈する如く設けられることもある。
【００５３】
（６）前記ヒンジ部５は、前記仕切り板３，３相互を、平面視で時計回り及び反時計回りの夫々で少なくとも９０度屈曲可能とするものであるならば、前記したような、幅方向の中央部分３８が比較的幅の広い薄肉片３９を以って構成されたものには特定されず、例えば、幅狭の縦方向溝線として構成されてもよい。
【００５４】
（７）前記仕切り板３の厚さや幅寸法、上下長さ、前記園芸用連続仕切り具１の全長等は、該園芸用連続仕切り具１の用途に応じて所要に設定されるものである。該仕切り板３の幅寸法は例えば３０〜８０ｍｍに設定でき、その厚さは５ｍｍ程度と比較的大きく形成されることもある。又、該園芸用連続仕切り具１の長さは、その取り扱い性を考慮して前記のように１〜５ｍに設定できるが、それよりも長く例えば５ｍ程度に或いはそれ以上の長さに設定されることもある。
【００５５】
（８）前記仕切り板３の前後対向する側面部１０，１０の一方或いは双方の例えば上側部位に、例えば図１８に示すように、前記園芸用連続仕切り具１の意匠性を向上させるために所要の立体模様５４等の模様が付されることもある。
【００５６】
（９）前記仕切り板３の下端部分６をなす前記鋭角板部９は、例えば図１９に示すように複数とされることもある。
【００５７】
（１０）前記の使用例においては、例えば図７〜８に示すように、形成せんとする仕切体５０の形状に合わせて地面に溝部５２を設け、該溝部５２内に、前記仕切り材５１の前記下側の部分５３を挿入後に前記幅広上縁部３５の上端５７をハンマーで打撃することとしているが、地面が比較的柔らかい場合には、かかる溝部５２を設けることなく、地面の所定場所で、各仕切り板３の前記幅広上縁部３５の上端５７をハンマーで打撃して該仕切り板３を地中に所要に打ち込み埋設することもある。
【００５８】
（１１）前記仕切り板３の地中への埋設深さ（該仕切り板３の地面４９からの突出量）は、前記ヒンジ部５の上端４０を地面４９の上方に位置させる限り、前記仕切体５０の目的に応じて適宜に設定できる。
【符号の説明】
【００５９】
１  園芸用連続仕切り具
２  地中
３  仕切り板
５  ヒンジ部
７  下端
９  鋭角板部
１０  側面部
１１  側縁部分
１２  縦補強リブ
１３  リブ外縁
１５  外縁
１７  横補強リブ
１９  上縁部
２０  リブ上縁
２１  上縁
３５  幅広上縁部
３９  薄肉片
４１  下に凸の円弧状部
４３  上に凸の円弧状部
５０  仕切体
【図１】
2019068794.tif 000003
【図２】
2019068794.tif 000004
【図３】
2019068794.tif 000005
【図４】
2019068794.tif 000006
【図５】
2019068794.tif 000007
【図６】
2019068794.tif 000008
【図７】
2019068794.tif 000009
【図８】
2019068794.tif 000010
【図９】
2019068794.tif 000011
【図１０】
2019068794.tif 000012
【図１１】
2019068794.tif 000013
【図１２】
2019068794.tif 000014
【図１３】
2019068794.tif 000015
【図１４】
2019068794.tif 000016
【図１５】
2019068794.tif 000017
【図１６】
2019068794.tif 000018
【図１７】
2019068794.tif 000019
【図１８】
2019068794.tif 000020
【図１９】
2019068794.tif 000021
【手続補正書】
【提出日】平成31年1月21日(2019.1.21)
【手続補正１】
【補正対象書類名】特許請求の範囲
【補正対象項目名】請求項７
【補正方法】変更
【補正の内容】
【請求項７】
前記ヒンジ部は、縦方向に連続状態に設けられており、左右の方向で見ての幅方向の中央部分が薄肉片として構成されていることを特徴とする請求項１記載の園芸用連続仕切り具。